(57)【要約】【課題】臨時の放射能測定ポイントのリアルタイムなデータ集計【解決手段】ＧＰＳによる位置情報を取得するＧＰＳレシーバ１０８と、可搬型にて放射能測定を行う可搬型モニタリングポスト（ＭＰ）１０９と、測定位置測位部が測位した位置情報における可搬型ＭＰ１０９が計測した大気中放射能値を格納するデータベース１０６とを一体的に接続したコンピュータ１０３を備え、該コンピュータ１０３が、測定位置測位部１０４がＧＰＳレシーバ１０８を用いて測位した位置情報及び該測位位置において可搬型ＭＰ１０９が計測した大気中放射能値をデータベース１０６に格納する格納機能と、データベース１０６に格納した位置情報及び放射能値をモバイル通信部１１０を介して放射能値集計・公開システム１１２に送信する放射能測定システム１０２を含む放射能計測集計公開システム。【選択図】図１
2014052298.tif 000002
【特許請求の範囲】
【請求項１】
放射能値の集計並びにＷｅｂ公開を行う放射能値集計・公開システムにネットワークを介して接続され、該ネットワークと通信を行うためのモバイル通信部と、ＧＰＳによる位置情報を取得するＧＰＳレシーバと、可搬型にて放射能測定を行う可搬型モニタリングポストと、前記ＧＰＳレシーバが測位した位置情報における前記可搬型モニタリングポストが計測した大気中放射能値を格納するデータベースと、前記モバイル通信部と前記ＧＰＳレシーバと前記可搬型モニタリングポストと前記データベースとに一体的に接続されるコンピュータとを備える放射能測定システムを含む放射能計測集計公開システムであって、
前記放射能測定システムの前記コンピュータが、前記ＧＰＳレシーバを用いて該ＧＰＳレシーバの経度緯度情報を含む位置情報を測位する測定位置測位機能部と、前記可搬型モニタリングポストを用いて周囲の大気中放射能値を測定する放射能値測定機能部と、前記ＧＰＳレシーバが測位した位置情報及び該測位位置において前記可搬型モニタリングポストが計測した大気中放射能値を前記データベースに格納する格納機能部と、該データベースに格納した位置情報及び放射能値を前記モバイル通信部及びネットワークを介して前記放射能値集計・公開システムに送信するデータ送信機能部とを備えたことを特徴とする放射能計測集計公開システム。
【請求項２】
前記コンピュータが、前記放射能値測定機能部及び格納機能部の動作の終了を指示する終了ボタンを備え、前記放射能値測定機能部を用いて大気中放射能値の測定を開始したときから前記格納機能部を用いた前記大気中放射能値の格納が終了する迄の間、前記終了ボタンを非活性化するように動作することを特徴とする請求項１記載の放射能計測集計公開システム。
【請求項３】
前記放射能測定システムに接続された放射能値集計・公開システムが、前記データ送信機能部を用いて受信した位置情報及び放射能値に基づいて地図上の測定ポイントを表すＷｅｂ公開用データを生成することを特徴とする請求項１又は２記載の放射能計測集計公開システム。
【請求項４】
放射能値の集計並びにＷｅｂ公開を行う放射能値集計・公開システムにネットワークを介して接続され、該ネットワークと通信を行うためのモバイル通信部と、ＧＰＳによる位置情報を取得するＧＰＳレシーバと、可搬型にて放射能測定を行う可搬型モニタリングポストと、前記ＧＰＳレシーバが測位した位置情報における前記可搬型モニタリングポストが計測した大気中放射能値を格納するデータベースと、前記モバイル通信部と前記ＧＰＳレシーバと前記可搬型モニタリングポストと前記データベースとに一体的に接続されるコンピュータとを備える放射能測定システムを含むコンピュータシステムの放射能計測集計公開方法であって、
前記放射能測定システムのコンピュータが、前記ＧＰＳレシーバを用いて該ＧＰＳレシーバの経度緯度情報を含む位置情報を測位する測定位置測位機能と、前記可搬型モニタリングポストを用いて周囲の大気中放射能値を測定する放射能値測定機能と、前記測定位置測位機能により測位した位置情報及び該測位位置において前記可搬型モニタリングポストが計測した大気中放射能値を前記データベースに格納する格納機能と、該データベースに格納した位置情報及び放射能値を前記モバイル通信部及びネットワークを介して前記放射能値集計・公開システムに送信するデータ送信機能とを実行することを特徴とする放射能計測集計公開方法。
【請求項５】
前記コンピュータが、前記放射能値測定機能及び格納機能の動作の終了を指示する終了ボタンを備え、前記放射能値測定機能による大気中放射能値の測定を開始したときから前記格納機能を用いた前記大気中放射能値の格納が終了する迄の間、前記終了ボタンを非活性化するように動作することを特徴とする請求項４記載の放射能計測集計公開方法。
【請求項６】
前記放射能測定システムに接続された放射能値集計・公開システムが、データ送信機能を用いて受信した位置情報及び放射能値に基づいて地図上の測定ポイントを表すＷｅｂ公開用データを生成することを特徴とする請求項４又は５記載の放射能計測集計公開方法。
【発明の詳細な説明】
【技術分野】
【０００１】
本発明は、モニタリングポストによる臨時の計測地点を使用して測定した放射能値を集計し且つ公開することができるコンピュータシステムを利用した放射能計測集計公開システム及び放射能計測集計公開方法に関する。
【背景技術】
【０００２】
近年、原子力発電所の事故に起因して日本全国の各地点の放射能値を所定地点に設置したモニタリングポストによって計測し、この計測した放射能値をコンピュータネットワークを介して集計用コンピュータサーバが集計し、該集計した各地点の放射能値を一括して定期的に公表することが行われている。
【０００３】
この従来技術による固定的なモニタリングポストを使用した放射能値の測定は、ヨウ化ナトリウム検出装置やイオンチェンバー検出装置やテレメータ装置を使用して放射能値の測定を定期的に行うものであるが、これら装置が故障した場合には、代替え装置を容易には準備できないために修理が終了する迄、測定を中止しなければならないものであった。また、モニタリングポストは、塵埃等の少ない環境に固定的に設置された場所にて測定することを想定しており、任意の場所にて高精度の放射能測定を行うことが困難であるという不具合があった。
【０００４】
なお、モニタリングポストに関する技術が記載された文献としては、下記の特許文献１が挙げられ、この特許文献１には、γ線核種分析用の検出器及びその測定系と、α線測定用の検出器及びその測定系と、α核種分析用の検出器及びその測定系と、トリチウム測定用の液体シンチレーションカウンタと、この液体シンチレーションカウンタ及び前記各測定系と測定データ信号及び制御信号を授受する制御手段とから大気中の放射能を測定するモニタリングポストシステムを構成することによって、大気中放射能の空間線量を測定すると共に放射線の核種を同定することができ、放射能の由来を推定する技術が記載されている。
【先行技術文献】
【特許文献】
【０００５】
【特許文献１】特開２００２−３６５３６７号公報
【発明の概要】
【発明が解決しようとする課題】
【０００６】
前述の特許文献１記載技術は、大気中放射能の空間線量を測定して放射線の核種の同定及び放射能の由来を推定することができるものの、固定的に設置されることを前提としており、臨時的に設置した放射能測定装置からの計測データを集計用コンピュータサーバが収集場所を特定して収集し、場所を特定した集計を行うことが困難であるという課題があった。特に従来技術による集計用コンピュータサーバは、集計した計測データを加工し、地図情報とリンクさせて公開することが行われているが、臨時的に接した測定装置から測定データを収集したとしても、自動的に加工し、地図情報とリンクさせて公開することができず、人手による加工が必要であるという課題もあった。
【０００７】
本発明の目的は、前述の従来技術による課題を解決しようとするものであり、臨時に放射能測定ポイントの追加必要になった際にも放射能値のリアルタイムなデータ集計及び地図情報とリンクした公開を行うことができる放射能計測集計公開システム及び放射能計測集計公開方法を提供することである。
【課題を解決するための手段】
【０００８】
前記目的を達成するため本発明は、放射能値の集計並びにＷｅｂ公開を行う放射能値集計・公開システムにネットワークを介して接続され、該ネットワークと通信を行うためのモバイル通信部と、ＧＰＳによる位置情報を取得するＧＰＳレシーバと、可搬型にて放射能測定を行う可搬型モニタリングポストと、前記ＧＰＳレシーバが測位した位置において前記可搬型モニタリングポストが計測した大気中放射能値を格納するデータベースと、前記モバイル通信部と前記ＧＰＳレシーバと前記可搬型モニタリングポストと前記データベースとに一体的に接続されるコンピュータとを備える放射能測定システムを含む放射能計測集計公開システムであって、
前記放射能測定システムの前記コンピュータが、前記ＧＰＳレシーバを用いて該ＧＰＳレシーバの経度緯度情報を含む位置情報を測位する測定位置測位機能部と、前記可搬型モニタリングポストを用いて周囲の大気中放射能値を測定する放射能値測定機能部と、前記ＧＰＳレシーバが測位した位置情報及び該測位位置において前記可搬型モニタリングポストが計測した大気中放射能値を前記データベースに格納する格納機能部と、該データベースに格納した位置情報及び放射能値を前記モバイル通信部及びネットワークを介して前記放射能値集計・公開システムに送信するデータ送信機能部とを備えたことを第１の特徴とする。
【０００９】
また、本発明は、前記第１の特徴の放射能計測集計公開システムにおいて、前記コンピュータが、前記放射能値測定機能部及び格納機能部の動作の終了を指示する終了ボタンを備え、前記放射能値測定機能部を用いて大気中放射能値の測定を開始したときから前記格納機能部を用いた前記大気中放射能値の格納が終了する迄の間、前記終了ボタンを非活性化するように動作することを第２の特徴とし、前記何れかの特徴の放射能計測集計公開システムにおいて、前記放射能測定システムに接続された放射能値集計・公開システムが、前記データ送信機能部を用いて受信した位置情報及び放射能値に基づいて地図上の測定ポイントを表すＷｅｂ公開用データを生成することを第３の特徴とする。
【００１０】
更に、本発明は、放射能値の集計並びにＷｅｂ公開を行う放射能値集計・公開システムにネットワークを介して接続され、該ネットワークと通信を行うためのモバイル通信部と、ＧＰＳによる位置情報を取得するＧＰＳレシーバと、可搬型にて放射能測定を行う可搬型モニタリングポストと、前記ＧＰＳレシーバが測位した位置情報における前記可搬型モニタリングポストが計測した大気中放射能値を格納するデータベースと、前記モバイル通信部と前記ＧＰＳレシーバと前記可搬型モニタリングポストと前記データベースとに一体的に接続されるコンピュータとを備える放射能測定システムを含むコンピュータシステムの放射能計測集計公開方法であって、
前記放射能測定システムのコンピュータが、前記ＧＰＳレシーバを用いて該ＧＰＳレシーバの経度緯度情報を含む位置情報を測位する測定位置測位機能と、前記可搬型モニタリングポストを用いて周囲の大気中放射能値を測定する放射能値測定機能と、前記測定位置測位機能により測位した位置情報及び該測位位置において前記可搬型モニタリングポストが計測した大気中放射能値を前記データベースに格納する格納機能と、該データベースに格納した位置情報及び放射能値を前記モバイル通信部及びネットワークを介して前記放射能値集計・公開システムに送信するデータ送信機能とを実行することを第４の特徴とする。
【００１１】
また、本発明は、前記第４の特徴の放射能計測集計公開方法において、前記コンピュータが、前記放射能値測定機能及び格納機能の動作の終了を指示する終了ボタンを備え、前記放射能値測定機能による大気中放射能値の測定を開始したときから前記格納機能を用いた前記大気中放射能値の格納が終了する迄の間、前記終了ボタンを非活性化するように動作することを第５の特徴とし、前記何れかの特徴の放射能計測集計公開方法において、前記放射能測定システムに接続された放射能値集計・公開システムが、データ送信機能を用いて受信した位置情報及び放射能値に基づいて地図上の測定ポイントを表すＷｅｂ公開用データを生成することを第６の特徴とする。
【発明の効果】
【００１２】
本発明による放射能計測集計公開システム及び放射能計測集計公開方法は、前記ＧＰＳレシーバを用いて該ＧＰＳレシーバの経度緯度情報を含む位置情報を測位する測定位置測位機能部と、前記可搬型モニタリングポストを用いて周囲の大気中放射能値を測定する放射能値測定機能部と、前記ＧＰＳレシーバが測位した位置情報及び該測位位置において前記可搬型モニタリングポストが計測した大気中放射能値を前記データベースに格納する格納機能部と、該データベースに格納した位置情報及び放射能値を前記モバイル通信部及びネットワークを介して前記放射能値集計・公開システムに送信するデータ送信機能部とを備えたことによって、臨時に放射能測定ポイントの追加必要になった際にも放射能値のリアルタイムなデータ集計及び地図情報とリンクした公開を行うことができる。
【図面の簡単な説明】
【００１３】
【図１】本発明の実施形態による放射能計測集計公開システムの全体構成を示す図。
【図２】本発明の実施形態による測定位置測位動作のフローを示す図。
【図３】本発明の実施形態による放射能値測定動作のフローを示す図。
【図４】本発明の実施形態による測定データ加工動作のフローを示す図。
【図５】本発明の実施形態によるデータ集計動作のフローを示す図。
【図６】本発明の実施形態によるデータ送信動作のフローを示す図。
【図７】本発明の実施形態による放射能値公開動作のフローを示す図。
【図８】本発明の実施形態によるデータベースの構成を示す図。
【図９】本発明の実施形態による放射能測定値公開データベースの構成を示す図。
【図１０Ａ】本発明の実施形態による地図情報を含むサンプル画像を示す図。
【図１０Ｂ】本発明の実施形態による測定時刻毎の放射能値変位のサンプル画像を示す図。
【発明を実施するための形態】
【００１４】
以下、本発明による放射能計測集計公開方法を実現する放射能計測集計公開システムの一実施形態を図面を参照して詳細に説明する。
［構成］
本実施形態による放射能計測集計公開システムは、図１に示す如く、放射能値の集計並びにＷｅｂ公開を行うコンピュータサーバである放射能値集計・公開システム１１２と、該放射能値集計・公開システム１１２にネットワーク１１１を介して接続された放射能測定システム１０２とから構成され、該放射能測定システム１０２は、前記ネットワーク１１１と通信を行うためのモバイル通信部１１０と、ＧＰＳによる位置情報を取得するＧＰＳレシーバ１０８と、可搬型にて放射能測定を行う可搬型ＭＰ（モニタリングポスト）１０９と、ノート型コンピュータ（ＰＣ）１０３とから構成される。
【００１５】
前記ノート型ＰＣ１０３は、前記ＧＰＳレシーバ１０８を用いてノート型ＰＣ１０３及び可搬型ＭＰ１０９等の位置情報を測位する測定位置測位部１０４と、前記可搬型ＭＰ１０９を用いて周囲の大気中放射能値を測定する放射能値測定部１０５と、該可搬型ＭＰ１０９を用いたＧＰＳレシーバ１０８による位置における放射能値測定部１０５により測定した放射能値を格納するためのデータベース１０６と、該データベース１０６に格納した測定位置情報及び放射能値を前記モバイル通信部１１０及びネットワーク１１１を介して放射能値集計・公開システム１１２に送信するデータ送信部１０７とを備える。
【００１６】
前記放射能値集計・公開システム１１２は、一般ユーザが放射能測定値をアクセスするためのコンピュータ１１９と接続され、前記ネットワーク１１１を介して放射能測定システム１０２のモバイル通信部１１０と通信するモバイル通信部１１３と、該モバイル通信部１１３を介して受信した測定位置情報及び放射能値を格納するデータベース１１７と、前記測定位置とリンクした放射能測定値をＷｅｂを用いて公開するためのＷｅｂ頁を格納する放射能測定値公開データベース１１８と、前記データベース１１７に格納した測定位置情報及び放射能値を時系列的なグラフ化変換を行うための放射能値公開部１１６と、前記データベース１１７に格納した測定位置情報及び放射能値並びに放射能値公開部１１６が変換したグラフ化データをＷｅｂ頁として放射能測定値公開データベース１１８に格納するデータ送信部１１５とを備える。
【００１７】
前記放射能測定システム１０２のデータベース１０６は、最低７つのフィールドで構成され、１つ目のフィールドは港コードフィールドであり、既存の測定ポイントからのデータの場合は、１〜９８の事前に定めたマスタコードが入り、ＧＰＳのデータの場合は、９９が入り、２つ目のフィールドには放射能を測定した日がｙｙｙｙ／ｍｍ／ｄｄの型で入り、３つ目のフィールドには放射能を測定した時刻がｈｈ：ｍｍ：ｓｓの型で入り、４つ目のフィールドには線量率ステータスがＩＮＴ型（通常は０）で入り、調整中や異常データの際は１や２が入力され、５つ目のフィールドには線量率データとして測定した放射能値がｄｏｕｂｌｅ型で入力され、６つ目のフィールドには港コードフィールドに９９であった際に数字が入り、緯度の情報をｄｏｕｂｌｅ型で保持し、７つ目のフィールドには港コードフィールドに９９であった際に数字が入り、経度の情報をｄｏｕｂｌｅ型で保持し、８つ目のフィールドには送信済フラグとして０又は１（０は未送信の状態を指し、１は送信済のデータ）が入るように構成される。
【００１８】
具体的には、本データベース１０６は、図８（ａ）に示す如く、放射能測定ポイントのマスタコードである港コードと、放射能の測定開始日時である測定開始日時と、放射能の測定開始時刻である測定開始時刻と、放射能の線量率ステータス（ＩＮＴ型）である線量率ステータスと、放射能の線量率データ（ＤＯＵＢＬＥ型）である線量率データと、測定位置の緯度（半角英数字）である位置情報（緯度）と、測定位置の経度（半角英数字）である位置情報（経度）と、送信済／未送信の状態保持ステータスである送信済フラグの各項目とから成り、図８（ｂ）に示す如く、例えば、港コード「１」の測定開始日時が「２０１１／０５／１０」、測定開始時刻が「１５：００」、線量率ステータスが「０」、線量率データが「１５．３９９９９９６１８５」、位置情報（緯度）が「３５．２９４．４４９」、位置情報（経度）が「１３９．６６１．７６５」、送信済フラグが「０」の如く格納される。なお、前記放射能値集計・公開システム１１２のデータベース１１７に格納されるデータも本データベース１０６に格納するデータと同様である。
【００１９】
前記放射能測定値公開データベース１１８は、１つ目のフィールドは港コードフィールドであり、既存の測定ポイントからのデータの場合、１〜９８のポイントコードが入り、ＧＰＳのデータの場合は、９９が入り、２つ目のフィールドには放射能を測定した日がｙｙｙｙ／ｍｍ／ｄｄの型で入り、３つ目のフィールドには放射能を測定した時刻がｈｈ：ｍｍ：ｓｓの型で入り、４つ目のフィールドには線量率ステータスがＩＮＴ型（通常は０）で入り、調整中や異常データの際は１や２が入力され、５つ目のフィールドには線量率データとして測定した放射能値がｄｏｕｂｌｅ型で入力され、６つ目のフィールドには港コードフィールドに９９であった際に数字が入り、緯度の情報をｄｏｕｂｌｅ型で保持し、７つ目のフィールドには港コードフィールドに９９であった際に数字が入り、経度の情報をｄｏｕｂｌｅ型で保持するように構成される。
【００２０】
具体的には、本放射能測定値公開データベース１１８は、図９（ａ）に示す如く、放射能測定ポイントのマスタコードを表す港コードと、放射能の測定開始日時を表す測定開始日時と、放射能の測定開始時刻を表す測定開始時刻と、放射能の線量率ステータス（ＩＮＴ型）を表す線量率ステータスと、放射能の線量率データ（ＤＯＵＢＬＥ型）を表す線量率データと、測定位置の緯度（半角英数字）を表す位置情報（緯度）と、測定位置の経度（半角英数字）を表す位置情報（経度）との各項目情報とから成り、具体的には、図９（ｂ）に示す如く、港コード「１」の測定開始日時が「２０１１／０５／１０」、測定開始時刻が「１５：００」、線量率ステータスが「０」、線量率データが「１５．３９９９９９６１８５」、経度が「３５．２９１４４９」、経度が「１３９．６６１７６５」の如く格納される。
【００２１】
また、ユーザのコンピュータ１１９に表示される画面は、図１０Ａに示す如く、簡易地図上の測定ポイント位置及びポイント名に空間測定及び海中測定による放射能測定量を表示するように描画され、各測定ポイントにおける時間経過に伴う測定量の推移は、図１０Ｂに示す如く、６時間毎、２４時間毎、７２時間毎の放射線の線量率として折れ線グラフの形式で描画され、コンピュータ１１９のディスプレイに表示されるように構成されている。
【００２２】
［動作］
さて、前述のように構成された放射能計測集計公開システムは、測定位置測位部１０４が、ノートＰＣ１０３上のソフトウェアが起動されたとき、ノートＰＣ１０３にＧＰＳレシーバ１０８が接続されているかを確認するステップ２０１と、該ステップＳ２０１において接続されていないと判定したとき、測位処理を無効にするために位置情報取得ボタンを無効化するステップ２０２と、前記ステップ２０１において接続されていると判定したとき及び前記ステップ２０２に続き、ユーザが位置情報を取得するか否かを選択するステップ２０３と、該ステップ２０３において取得しないと判定したとき、既存の観測ポイントの中から任意のポイントを選択して処理を終了するステップ２０４と、前記ステップ２０３においてユーザが位置情報を取得すると判定したとき、ＧＰＳレシーバ１０８を用いて現時点でのユーザの緯度・経度の位置情報を取得するステップ２０５と、該ステップ２０５によって取得した位置情報を画面表示し、位置情報に問題があるか否か（取得した位置情報で良いか否か）を判定し、通信障害等によって問題があると判定したときに前記ステップ２０５に戻るステップ２０６と、該ステップ２０６において問題がないと判定したとき、前記ステップ２０５により取得した位置情報をデータベース１０６にローカル変数として格納して処理を終了するステップ２０７とを実行することによって、任意の測定ポイントにおける位置情報を取得するように動作する。
【００２３】
次いで、本実施形態による放射能計測集計公開システムは、測定位置測位部１０４が、図３に示す如く、測定値処理を行っている間はシステムを終了できないようにシステムの終了ボタンを非活性にするステップ３０１と、可搬型ＭＰ１０９からリアルタイムな放射能値を取得するステップ３０２と、該ステップ３０２によって放射能データを取得できたか否かを判定するステップ３０３と、該ステップ３０３によって取得できなかったと判定したとき、測定できなかった情報をログファイルへ書き出すステップ３０４と、前記ステップ３０３において測定できたと判定したとき、前記ユーザの位置情報と放射能測定値と測定時刻をデータベース１０６に書き込むステップ３０６と、該ステップ３０６又はステップ３０４に続き、終了ボタンを活性化状態に戻すステップ３０７と、終了ボタンが押されたか否かを判定し、押されていないと判定したときに前記ステップ３０１に戻り、押されたと判定したときに処理を終了するステップ３０８とを実行することによって、ユーザが選択した地点における位置情報と放射能測定値と測定時刻をデータベース１０６に格納するように動作する。
【００２４】
更に、本実施形態による放射能計測集計公開システムは、データ送信部１０７が、図４に示す如く、一定時間毎に繰り返す処理を開始するステップ４０１と、前記データベース１０６に格納した測定データ（位置情報と放射能測定値と測定時刻）をネットワーク１１１を介して放射能値集計・公開システム１１２のデータベース１１７に格納するステップ４０２と、前記ステップ４０１との間で前記ステップ４０２を繰り返すステップ４０４とを実行することによって、ユーザが任意の地点において測定した測定データ（位置情報と放射能測定値と測定時刻）を放射能値集計・公開システム１１２側に格納するように動作する。
【００２５】
次いで、本実施形態による放射能計測集計公開システムは、データ送信部１１５が、図５に示す如く、一定時間毎に繰り返す処理を開始するステップ５０１と、前記データベース１１７に格納した測定データ（位置情報と放射能測定値と測定時刻）を地図情報とリンクした形式のＷｅｂ頁の形式に変換して前記放射能測定値公開データベース１１８に格納するステップ５０２と、前記ステップ５０１との間で前記ステップ５０２を繰り返すステップ５０４とを実行することによって、ユーザが任意の地点において測定した測定データをサーバ１１４側に格納するように動作する。
【００２６】
前記データ送信部１１５のステップ５０２によるデータベース１１８に対するデータ書込処理の詳細は、図６に示す如く、データ送信処理が開始されたとき、データベースのアクセス処理の途中での中断を防止する為、終了ボタンを非活性状態にするステップ６０１と、未送信データがあるか否かをローカルに保持したデータベース１１７にアクセスして判定するステップ６０２と、該ステップ６０２によって未送信の測定データがあると判定したとき、未送信の測定データを放射能測定値公開データベース１１８に書き込むステップ６０４と、前記ステップ６０２において未送信の測定データがないと判定したとき又は前記ステップ６０４に続き、終了ボタンを活性化状態にするステップ６０６と、ユーザによって終了ボタンがステップ６０７により押されたか否かを判定し、押されたと判定したときに処理を終了するステップ６０８と、該ステップ６０８によって終了ボタンが押されていないと判定したとき、前回送信から一定時間が経過したか否かを判定し、一定時間が経過したと判定したときに前記ステップ６０１に戻り、一定時間が経過していないと判定したときに前記ステップ６０７に戻るステップ６０９とを実行することによって、データ書込処理を行うように動作する。
【００２７】
更に、本実施形態による放射能計測集計公開システムは、放射能値公開部１１６が、図７に示す如く、測定データを放射能測定値公開データベース１１８から読み込みを行うステップ７０１と、該ステップ７０１により読み込んだ測定データに測定位置情報が含まれるか否かを判定し、含まれていないと判定したときに処理を終了するステップ７０３と、該ステップ７０３において測定位置情報が含まれた測定データがあると判定したとき、該測定データ中の測定位置情報データから経度・緯度を読み込むステップ７０４と、該ステップ７０４によって読み込んだ経度・緯度に基づいて地図情報に測定ポイントとしてクリック可能な箇所をリンクボタンとして追加するステップ７０５とを実行することによって、図１０Ａに示した如き地図情報上にクリック可能な形式のＷｅｂ頁を作成するように動作する。
【００２８】
このように本実施形態による放射能計測集計公開システムの放射能測定システム１０２は、ノート型コンピュータ１０３が、前記ＧＰＳレシーバ１０８を用いて経度緯度情報を含む位置情報を測位する測定位置測位部１０４と、前記可搬型ＭＰ１０９を用いて周囲の大気中放射能値を測定する放射能値測定部１０５と、前記放射能値測定部１０５が測位した位置情報及び該測位位置において前記可搬型ＭＰ１０９が計測した大気中放射能値をデータベース１０６に格納する格納機能部と、該データベース１０６に格納した位置情報及び放射能値をモバイル通信部１１０及びネットワークを介して放射能値集計・公開システム１１２に送信するデータ送信部とを備えたことによって、臨時に放射能測定ポイントの追加必要になった際にも放射能値のリアルタイムなデータ集計及び地図情報とリンクした公開を行うことができる。
【符号の説明】
【００２９】
１０２  放射能測定システム、１０３  ノート型コンピュータ、
１０４  放射能値測定部、１０５  放射能値測定部、１０６  データベース、
１０７  データ送信部、１０８  ＧＰＳレシーバ、１１０  モバイル通信部、
１１１  ネットワーク、１１２  放射能値集計・公開システム、
１１３  モバイル通信部、１１４  サーバ、１１５  データ送信部、
１１６  放射能値公開部、１１７  データベース、
１１８  放射能測定値公開データベース、１１９  コンピュータ
【図１】
2014052298.tif 000003
【図２】
2014052298.tif 000004
【図３】
2014052298.tif 000005
【図４】
2014052298.tif 000006
【図５】
2014052298.tif 000007
【図６】
2014052298.tif 000008
【図７】
2014052298.tif 000009
【図８】
2014052298.tif 000010
【図９】
2014052298.tif 000011
【図１０Ａ】
2014052298.tif 000012
【図１０Ｂ】
2014052298.tif 000013